(57)【要約】【課題】マッサージユニットで女性の下部に対してマッサージ効果を与え、生理時の不快感を和らげるマッサージ効果を具えた排出液物吸収体を提供する。  【解決手段】マッサージ効果を具えた排出液物吸収体は、液物吸収層、表面薄層及び底面薄層を含む。液物吸収層は表面薄層及び底面薄層の中間に位置し、且つ液物吸収層の二端は表面薄層及び底面薄層を粘着して封鎖状態を形成する。液物吸収層によって女性分泌物を吸収し、その液物吸収体の液物吸収層及び表面薄層の中間には一マッサージユニットを設置し、女性の下部を刺激及びマッサージする。【選択図】図１
0003139359.tif 000002
【実用新案登録請求の範囲】
【請求項１】
マッサージ効果を具えた排出液物吸収体において、表面薄層と、底面薄層と、 表面薄層及び底面薄層の中間に設置し、且つその二端は表面薄層及び底面薄層によって粘着して封鎖状態を形成し、液物吸収層が女性分泌物を吸収する液物吸収層を少なくとも含む液物吸収体と、及び底面薄層及び表面薄層の中間に設置する一マッサージユニットから構成されることを特徴とする、マッサージ効果を具えた排出液物吸収体。
【請求項２】
前記マッサージユニットは、更に動力装置、蠕動端及び定位板を含み、その定位板は撓み性の材質で撓んでスリーブ体、マッサージ端を形成することを特徴とする、請求項１記載のマッサージ効果を具えた排出液物吸収体。
【請求項３】
前記動力装置は、一電池と、切換方式で電池に連接する一モーターと、モーターに連接する一ギアモジュールと、ギアモジュールに連接する一軸心と、更に、軸心に連接して蠕動方式で作動する一蠕動端を含むことを特徴とする、請求項２記載のマッサージ効果を具えた排出液物吸収体。
【請求項４】
前記動力装置は、 一電池と、切換方式で電池に連接する一モーターと、モーターに連接する一軸心と、軸心に連接して振動動作を行う一偏心回転子を含むことを特徴とする、請求項２記載のマッサージ効果を具えた排出液物吸収体。
【請求項５】
前記動力装置は、更に一制御スイッチ及び回転速度制御ユニットを設置してモーターの回転と回転速度を制御することを特徴とする、請求項３もしくは４記載のマッサージ効果を具えた排出液物吸収体。
【請求項６】
前記液物吸収体は、温熱ユニットを結合することを特徴とする、請求項１記載のマッサージ効果を具えた排出液物吸収体。
【考案の詳細な説明】
【技術分野】
【０００１】
本考案は、一種の女性の下腹部をマッサージして刺激を与える液物吸収体で、特にマッサージユニットで女性の下部に対してマッサージ効果を与える。
【背景技術】
【０００２】
社会の性に関する概念が変わり、女性が使用するマッサージ器は日々普及している。一般的に、女性は生理期の前に体内の黄体ホルモンにより、心身ともに変化が起こる。その症状例として、乳房が張る痛み、腹部が膨張する、腹痛、腰がだるい、頭痛、憂鬱、イライラする、注意力が散漫になる、怒りっぽくなる、食欲不振、性欲増強等がある。これらの症状は女性に対する不快症状であり、この時に適度なマッサージの刺激及び温熱が体の不快を和らげる。
【考案の開示】
【考案が解決しようとする課題】
【０００３】
解決しようとする問題点は、公知の生理用ナプキンは、吸収機能を具えているだけで、女性の生理、心理及び身体の不適に対して何の効果もないため、技術的な効果が待たれる。また公知のマッサージ器は手で持つ方式で、刺激を与えることができるものであるため、使用上不便である点である。
【課題を解決するための手段】
【０００４】
本考案は、液物吸収層、表面薄層及び底面薄層を含む。液物吸収層は表面薄層及び底面薄層の中間に位置し、且つ液物吸収層の二端は表面薄層及び底面薄層を粘着して封鎖状態を形成する。液物吸収層によって女性分泌物を吸収し、その液物吸収体の液物吸収層及び表面薄層の中間には一マッサージユニットを設置し、女性の下部を刺激及びマッサージすることを最も主要な特徴とする。
【考案の効果】
【０００５】
本考案のマッサージ効果を具えた排出液物吸収体は、マッサージユニットで女性の下部に対してマッサージ効果を与え、生理時の不快感を和らげるという利点がある。
【考案を実施するための最良の形態】
【０００６】
本考案は、一種の女性下部を刺激マッサージする液物吸収体を提供し、女性が生理用ナプキンを使用する時、液物吸収層で女性分泌物を吸収する他に、マッサージユニットを女性下部に貼り、刺激マッサージを継続することを目的とする。
【０００７】
上述の目的のため、マッサージ効果を具えた排出液物吸収体は液物吸収層、表面薄層及び底面薄層から構成され、液物吸収層は表面薄層及び底面薄層中間に設置し、且つ液物吸収層の二端は表面薄層及び底面薄層で粘着して封鎖状態を形成する。液物吸収層が女性分泌物を吸収し、液物吸収体の液物吸収層及び表面薄層の中間には女性の下部を刺激してマッサージする一マッサージユニットを具え、上述の効果を得る。
【０００８】
本考案は、更に温熱ユニットを結合し、女性の生理期の生理痛に対して温熱片に保温作用を具え、それを腹部に貼ることによって、血液循環を促進して新陳代謝を高め、生理通を和らげ、健康を保つのに効果的である。
【実施例１】
【０００９】
図１の本考案は、マッサージ効果を具えた排出液物吸収体であり、図１に示すのは、マッサージ効果を具えた排出液物吸収体の本実施例に於ける女性用生理用ナプキン(シート)である。これは生理用ナプキン（シート）内に一マッサージユニット１２を設置する。女性が生理用ナプキン１０を使用する時、液物吸収層１１によって女性分泌物を吸収し、更に女性用マッサージユニット１２を女性下部に貼り付けることによってマッサージで継続的に刺激を与える目的を達成する。
【００１０】
図２Ａに示すのは、本考案の生理用ナプキン１０の構造指示図である。本考案の生理用ナプキン１０は液物吸収層１１、表面薄層１３及び底面薄層１５を含む。液物吸収層１１は、表面薄層１３及び底面薄層１５の中間に設置し、図２Ａに示すとおり、マッサージユニット１２は表面薄層１３及び液物吸収層１１の間に設置するか、もしくは図２Ｂに示すとおり、マッサージユニット１２を液物吸収層１１及び底面薄層１５の間に設置する。更に液物吸収層１１の二端は表面薄層１３及び底面薄層１５によって粘着させて密封状態を形成しているため、液物吸収層１１が女性分泌物を吸収し、更にマッサージユニット１２及び液物吸収層１１中間には液物隔絶層１７が設置され、女性分泌物がマッサージユニット１２に浸透するのを隔絶し、液物を隔絶する効果を具える。
【００１１】
図３Ａに示すのは、女性用マッサージユニット１２の構造指示図である。そのうち、マッサージユニット１２は、液物吸収層１１及び表面薄層１３の中間に置き、女性用マッサージユニット１２を表面薄層１３で包み込む。このマッサージユニット１２は動力装置１２１、蠕動端１２２及び定位板１２３を含む。定位板１２３は撓み性を具えた材質とし、撓み湾曲でスリーブ体１２３１、マッサージ端１２３２を形成する。即ちスリーブ体１２３１が動力装置１２１を覆い、マッサージ端１２３２が蠕動端１２２を覆うことにより、固定部１２３３が液物吸収層１１上で固定され、女性用マッサージユニット１２を液物吸収層１１及び表面薄層１３の中間で固定される。
【００１２】
図３Ｂは、本考案の女性用マッサージユニット１２の動力装置１２１の構造指示図である。動力装置１２１は、一電池１２１１、切換方式によって電池１２１１に連接する一モーター１２１２、モーター１２１２に連接する一ギアモジュール１２１３、ギアモジュール１２１３に連接する一軸心１２１４、及び軸心１２１４に連接して蠕動方式で動く一蠕動端１２２を含む。この動力装置にはまた一制御スイッチ７０(図１参照)、回転速度制御ユニット７１を設置し、一制御スイッチ７０及び回転速度制御ユニット７１(図３Ａ参照)でモーター１２１２の回転と回転速度を制御する。制御スイッチ７０は図５に示すとおり有線で連接するが、無線で制御することもできる。モーター１２１２が回転すると、ギアモジュール１２１３がモーターに従って回転し、軸心１２１４を動かし、蠕動端１２２が動き、マッサージ端１２３２はこの蠕動端１２２によって蠕動して女性の下部を刺激及びマッサージする。
【実施例２】
【００１３】
図４は、本考案の別の一実施例の女性用マッサージユニット３０の構造指示図である。前の一マッサージユニット１２と異なる点として、本実施例の女性用マッサージユニット３０は振動に依り女性下部を刺激マッサージするもので、蠕動方式ではない。図４に示すとおり、動力装置３１は一電池３２、切換的方式で電池３２に連接する一モーター３３、モーター３３に連接する軸心３４、軸心３４に連接する一偏心回転子３５を含む。モーター３３が回転すると軸心３４が動き、それが偏心回転子３５を回転させ、振動効果を生み、マッサージ女性の下部を刺激、マッサージする。
【００１４】
本考案のマッサージ効果を具えた排出液物吸収体は、更に温熱ユニットを結合する。本実施例は温熱片２０を主体とし、図５に示すとおり、この温熱片２０の温熱制御はスイッチ７０で制御する。女性の生理期に生理痛がある場合、温熱片２０は保温作用を具え、腹部に貼ることにより、血液循環を促進して新陳代謝を高め、生理痛を和らげ健康を保つのに役立つ。図６に示すとおり、この温熱片２０のスイッチ方式はスイッチ７０に結合し、このスイッチ７０は女性用マッサージユニットのオンとオフを制御する他に、温熱片のスイッチも制御し、他に段階式温熱制御を行い、使用者が温度の強弱を調整する。図７が示すのは、使用者が実際に使用する方式で、使用者は生理用ナプキン１０及び温熱片２０を同時使用する場合、そのスイッチ７０は腰に設置すると、コントロールが便利である。
【実施例３】
【００１５】
更に別の一実施例は図８及び図９に示すとおり、女性用マッサージユニット１２及び温熱片２０にタイマー装置Ａを設置し、使用者が自分で使用時間を設定するので、便利である。
【００１６】
他に温熱片２０は一ベルト体４０に結合する(図１０参照)。つまり温熱片２０をベルト体４０上に設置し、ベルト体４０を腹部に設置することにより、温熱片２０を設置したベルト体４０が温熱効果を得る。
【００１７】
上述に示すとおり、本考案が提供するマッサージ効果を具えた排出液物吸収体は、法に基づき実用新案登録を申請する。以上の実施の説明及び図式に示すのは本考案の良好な実施例であり、本考案を制限するものではなく、依って本考案の構造、装置、特徴と近似、雷同するものは、すべて本考案の目的及び申請範囲に属するものとする。
【図面の簡単な説明】
【００１８】
【図１】本考案の液物吸収体の構造立体図
【図２Ａ】本考案の液物吸収体の構造指示図
【図２Ｂ】本考案の液物吸収体の構造指示図
【図３Ａ】本考案の液物吸収体のマッサージユニット構造指示図
【図３Ｂ】本考案の液物吸収体の動力装置構造指示図
【図４】本考案の第一実施例マッサージユニットの構造指示図
【図５】本考案の第二実施例液物吸収体に温熱ユニットが結合した構造指示図
【図６】本考案の液物吸収体の制御スイッチ構造指示図
【図７】本考案の液物吸収体の実際穿載使用指示図
【図８】本考案の第三実施例液物吸収体結合タイマー装置の構造立体指示図
【図９】本考案の温熱ユニット結合タイマー装置の構造指示図
【図１０】本考案の温熱ユニット結合ベルト体使用指示図
【符号の説明】
【００１９】
１０          生理用ナプキン
１１          液物吸収層
１２          マッサージユニット
１２１        動力装置
１２１１      電池
１２１２      モーター
１２１３      ギアモジュール
１２１４      軸心
１２２        蠕動端
１２３        定位板
１２３１      スリーブ体
１２３２      マッサージ端
１２３３      固定部
１３          表面薄層
１５          底面薄層
１７          液物隔絶層
２０          温熱片
３０          女性用マッサージ器
３１          動力装置
３２          電池
３３          モーター
３４          軸心
３５          偏心回転子
４０          ベルト体
７０          スイッチ
７１          回転速度制御ユニット
Ａ            タイマー装置
【図１】
0003139359.tif 000003
【図２Ａ】
0003139359.tif 000004
【図２Ｂ】
0003139359.tif 000005
【図３Ａ】
0003139359.tif 000006
【図３Ｂ】
0003139359.tif 000007
【図４】
0003139359.tif 000008
【図５】
0003139359.tif 000009
【図６】
0003139359.tif 000010
【図７】
0003139359.tif 000011
【図８】
0003139359.tif 000012
【図９】
0003139359.tif 000013
【図１０】
0003139359.tif 000014